(57)【要約】      （修正有）【課題】監視員通路に消火栓収納箱を埋込み設置した場合の前面開口及び上面開口からのホース引き出し時のキンクを防止する。【解決手段】消火栓収納箱３０の筐体はトンネル壁面に沿った監視員通路に埋込み設置され、内部にノズル６２付きのホース６０が水平回り内巻きして収納され、道路側となる前面開口３５に前扉３２が設けられ、監視員通路面側となる上面開口３７に上扉３６が設けられる。前面開口３５及び上面開口３７に形成されたホース取出口の左右の縁部の各々に、ホース６０の引き出しに伴う曲がりを所定のホース最小曲げ半径より大きな曲げ半径をもつ曲がりに規制させる湾曲ガイドプレート７０，８０が回転自在に設けられる。【選択図】図３
2018033643.tif 000002
【特許請求の範囲】
【請求項１】
トンネル壁面に沿った監視員通路に埋込み設置され、内部にノズル付きのホースが水平回り内巻きして収納された箱形の筐体と、
道路側となる前記筐体の前面開口に開閉自在に配置された前扉と、
前記監視員通路面側となる前記筐体の上面開口に開閉自在に配置された上扉と、
を備えた消火栓収納箱に於いて、
前記前面開口及び前記上面開口の少なくとも何れかに形成されたホース取出口の左右縁部の各々に、前記ホースの引き出しに伴う曲がりを所定のホース最小曲げ半径より大きな曲げ半径をもつ曲がりに規制させるホースガイドが設けられたことを特徴とする消火栓収納箱。
【請求項２】
請求項１記載の消火栓収納箱に於いて、
前記ホースガイドは、
前記ホース最小曲げ半径より大きな曲げ半径をもつ湾曲ガイドプレートと、
前記湾曲ガイドプレートを前記開口縁部に回転自在に支持する回転支持機構と、
が設けられたことを特徴とする消火栓収納箱。
【請求項３】
請求項１記載の消火栓収納箱に於いて、
前記ホースガイドは、前記ホース最小曲げ半径より大きな曲げ半径をもつ円弧に沿って複数本のガイドパイプが、前記開口縁部と平行に設けられたことを特徴とする消火栓収納箱。
【発明の詳細な説明】
【技術分野】
【０００１】
本発明は、ノズル付きホースを引き出して消火用水又は消火泡を放出させるトンネル内の監視員通路に設置された消火栓収納箱に関する。
【背景技術】
【０００２】
従来、高速道路や自動車専用道路などのトンネル内に設置するトンネル非常用設備として消火栓装置が設けられており、消火栓装置は開放自在な消火栓扉を備え、先端にノズルを装着したホースと消火栓弁を含むバルブ類を収納している。
【０００３】
消火栓装置は、一般的に、トンネル側壁に沿って例えば５０メートル間隔でトンネル壁面に埋込み設置されている。火災を伴う車両事故が発生した場合には、監視員通路のあるトンネルでは、事故車両の運転者等の道路利用者は監視員通路の側面に設置されたステップ等により監視員通路に登り、トンネル壁面に設置された消火栓装置の消火栓扉を前方に開放してノズル付きのホースを取出して消火作業を行うようにしている。
【０００４】
監視員通路は路面に対し高くした側壁通路として設けられ、トンネル内の車両通行を妨げることなく且つ安全にトンネル内に設置している消火栓装置を含む各種の機器の点検を行うことを可能としている。
【０００５】
また、監視員通路のないトンネルにあっては、事故車両の運転者等の道路利用者は、トンネル壁面に設置された消火栓装置に近づき、同様に、消火栓扉を前方に開放してノズル付きのホースを取出して消火作業を行うようにしている。
【先行技術文献】
【特許文献】
【０００６】
【特許文献１】特開２００６−１８１０５７号公報
【特許文献２】特開２００８−０５５０２４号公報
【特許文献３】特開２００９−２８５１２６号公報
【発明の概要】
【発明が解決しようとする課題】
【０００７】
ところで、シールド工法等により作られた都市型トンネルにあっては、トンネル壁面に消火栓装置を埋込み設置できない構造であり、監視員通路側面（壁面）に消火栓装置を埋込み設置する必要がある。
【０００８】
しかしながら、従来の消火栓のように扉を前開きする消火栓装置を監視員通路に設置した場合には、消火栓扉が開くと建築限界を超えて道路側に飛び出す問題がある。
【０００９】
一方、この問題を解決できたとしても、消火栓装置をトンネル内の道路に面した監視員通路壁面に沿って埋込設置した場合、車両火災が発生して消火栓扉の前に車両が停止すると、停止車両が邪魔になって、消火栓扉を開いてホースを引き出すことができない場合がある。更に、仮に監視員通路上から操作できる場合でも、監視員通路から消火栓扉を開くには、体をかがめて手を伸ばす必要があり、消火栓装置の操作に手間取ってしまう場合もある。
【００１０】
この問題を解決するため、監視員通路内に消火栓収納箱を埋込み設置し、道路側に面してスライド開閉される前扉を設けると共に、監視員通路面に上向きに開閉される上扉を設けた消火栓収納箱が提案されている。
【００１１】
このように監視員通路に埋込み設置された消火栓収納箱によれば、車両事故による火災の発生時に、道路利用者は、道路に面した前扉を開くことで、ホース収納部から簡単且つ容易にノズル付きホースを引き出して消火を行うことができる。また、消火栓装置の前に車両が停止して前扉からの操作ができない場合には、監視員通路の上扉を開くことで、停止車両に妨げられることなく、ノズル付きホースを引き出して消火を行うことができる。
【００１２】
ところで、監視員通路に埋込み設置される消火栓装置は、監視員通路の横幅が０．７メートル程度であり、消火栓収納箱の横幅は、監視員通路の例えば半分の０．３５メートル程度と狭くなり、消火栓収納箱の中には約３０メートル程度のホースを水平に内巻きして収納することから、筐体をトンネル長手方向に長く形成し、ホースはトンネル長手方向に長い長円形となるように水平回りに内巻きされている。
【００１３】
しかしながら、前扉又は上扉を開いて前面開口又は上面開口から横方向にホースを引き出す場合に、ホース巻き方向に１８０°異なった逆方向にホースが引き出される場合があり、前面開口又は上面開口でホースがキンク（折れ曲がり）して滑らかに引き出せなくなる問題がある。
【００１４】
本発明は、監視員通路に消火栓収納箱を埋込み設置した場合の前面開口及び上面開口からのホース引き出し時のキンクを防止する消火栓収納箱を提供することを目的とする。
【課題を解決するための手段】
【００１５】
（消火栓収納箱）
本発明は、
トンネル壁面に沿った監視員通路に埋込み設置され、内部にノズル付きのホースが水平回り内巻きして収納された箱形の筐体と、
道路側となる筐体の前面開口に開閉自在に配置された前扉と、
監視員通路面側となる筐体の上面開口に開閉自在に配置された上扉と、
を備えた消火栓収納箱に於いて、
前面開口及び上面開口の少なくとも何れかに形成されたホース取出口の左右縁部の各々に、ホースの引き出しに伴う曲がりを所定のホース最小曲げ半径より大きな曲げ半径をもつ曲がりに規制させるホースガイドが設けられたことを特徴とする。
【００１６】
（湾曲ガイドプレートの回転構造）
ホースガイドは、
ホース最小曲げ半径より大きな曲げ半径をもつ湾曲ガイドプレートと、
湾曲ガイドプレートを開口縁部に回転自在に支持する回転支持機構と、
が設けられる。
【００１７】
（複数本のガイドパイプ配置）
ホースガイドは、開口縁部に、ホース最小曲げ半径より大きな曲げ半径をもつ円弧に沿って複数本のガイドパイプが、開口縁部と平行に設けられる。
【発明の効果】
【００１８】
（基本的な効果）
本発明は、トンネル壁面に沿った監視員通路に埋込み設置され、内部にノズル付きのホースが水平回りに内巻きして収納された箱形の筐体と、道路側となる筐体の前面開口に開閉自在に配置された前扉と、監視員通路面側となる筐体の上面開口に開閉自在に配置された上扉とを備えた消火栓収納箱に於いて、前面開口及び上面開口の少なくとも何れかに形成されたホース取出口の左右縁部の各々に、ホースの引き出しに伴う曲がりを所定のホース最小曲げ半径より大きな曲げ半径をもつ曲がりに規制させるホースガイドが設けられため、ホース収納部に水平回りに内巻きされたホースを、ホース巻き方向に対し１８０°異なる逆方向に引き出す場合にあっても、ホース取出口の左端または右端に設けられたホースガイドに沿って所定のホース最小曲げ半径より大きな曲げ半径をもつ曲がりで引き出されることで、ホースのキンクを確実に防止可能とする。
【００１９】
また、ホースガイドは消火栓が使用されていないときには消火栓収納箱内に収納されるため、収納スペースを特別にとる必要がなく、消火栓収納箱を小さくできる。更に、ホースガイドはホースを押さえるため、ホースの収納を確実にできる。
【００２０】
（湾曲ガイドプレートの回転構造）
また、ホースガイドは、ホース最小曲げ半径より大きな曲げ半径をもつ湾曲ガイドプレートと、湾曲ガイドプレートを開口縁部に回転自在に支持する回転支持機構とが設けられたため、湾曲ガイドプレートは、扉閉鎖時はホース取出口の内側に収納されており、ホースを引き出す場合に、ホースの引き出しに伴ってホース取出口に外側に回転し、湾曲ガイドプレートに摺接したホースの引き出しにより、所定のホース最小曲げ半径より小さく曲がることがなく、ホースのキンクを確実に防止可能とする。
【００２１】
（複数本のガイドパイプ配置による効果）
また、ホースガイドは、開口縁部に、ホース最小曲げ半径より大きな曲げ半径をもつ円弧に沿って複数本のガイドパイプが、開口縁部と平行に設けられたため、例えばホース取出口に２本のガイドパイプを配置しておくことで、２本のガイドパイプに摺接したホースの引き出しにより、所定のホース最小曲げ半径より小さく曲がることがなく、ホースのキンクを確実に防止可能とする。また、ホース取出口に複数本のガイドパイプを配置するだけで良いことから、構造が簡単になる。
【図面の簡単な説明】
【００２２】
【図１】シールドトンネル内に設置した消火栓設備を含むトンネル非常用設備を示した説明図
【図２】消火栓収納箱の外観を正面、平面及び側面から示した説明図
【図３】消火栓収納箱の内部構造を正面から示した説明図
【図４】消火栓収納箱の内部構造を平面から示した説明図
【図５】消火栓収納箱に設けられた湾曲ガイドプレートを取り出して示した説明図
【図６】前面開口からホースを横方向に引き出す場合の湾曲ガイドプレートによるガイド機能を示した説明図
【図７】上面開口からホースを横方向に引き出す場合の湾曲ガイドプレートによるガイド機能を示した説明図
【図８】前面開口及び上面開口に２本ガイドパイプによるホースガイドを設けた消火栓収納箱を示した説明図
【図９】図８における２本のガイドパイプの配置を取り出して平面で示した説明図
【発明を実施するための形態】
【００２３】
［トンネル非常用設備の概要］
図１は自動車専用道路のトンネル内に設置された消火栓設備を含むトンネル非常用設備を示した説明図である。図１に示すように、シールド工法により構築されたトンネル１０内は円筒形のトンネル壁面１２により覆われ、床版１８により仕切られることで道路１５が設けられており、この例にあっては、道路１５は１方向２車線としている。
【００２４】
床版１８で仕切られた道路１５の左側のトンネル壁面１２に沿って監視員通路１４が設けられ、監視員通路１４の下側の内部空間はダクト２２として利用され、電線管等が敷設される。監視員通路１４は例えば高さが９０センチメートル、横幅が７０センチメートルといった大きさをもつ。
【００２５】
道路１５が形成された床版１８の下側はトンネル横方向に複数の区画に仕切られており、例えば、監視員通路１４の下に位置する区画は、管理用通路２０として使用され、また、管理用通路２０はトンネル内での火災発生時には、緊急避難通路として使用される。管理用通路２０には給水本管２４が敷設されている。
【００２６】
トンネル１０の長手方向の５０メートルおきには、消火栓設備１６が設置され、消火栓設備１６はホースが収納された消火栓収納箱３０と放水制御機構収納部９０に分離して設置されている。
【００２７】
消火栓収納箱３０は、監視員通路１４の路面及び道路１５側の壁面にかけて箱形に刳り貫かれた消火栓埋込部に配置されている。放水制御機構収納部９０は、消火栓収納箱３０の下側となる管理用通路２０に配置され、給水本管２４から分岐した分岐管２４ａが引き込まれ、また、消火栓収納箱３０に消火用水を供給する給水配管２５が立ち上げられている。
【００２８】
［消火栓収納箱の外観構造］
図２は消火栓収納箱の外観を正面、平面及び側面から示した説明図である。図２に示すように、消火栓設備１６の消火栓収納箱３０は、監視員通路１４の路面下の内部空間に埋込み設置されている。消火栓収納箱３０は、図２（Ａ）に示すように、筐体３１の前面中央の下側に固定扉３３が配置されると共に、固定扉３３の上側の前面開口３５に前扉３２が上下方向にスライド自在に配置されている。
【００２９】
また、図２（Ｂ）に示すように、消火栓収納箱３０の監視員通路１４の路面側となる上面中央の上面開口３７には、前扉３２と同じ横幅の上扉３６が配置されている。上扉３６は、図２（Ｃ）に示すように、上扉３６ａで示す前開きと、上扉３６ｂで示す後開きができる。
【００３０】
ここで、上扉３６ａで示す前開きとは、上扉３６の奥行側の後縁部を軸として上向き回りに開閉されることを意味し、また、上扉３６ｂで示す後開きとは、上扉３６の手前の前縁部を軸として上向き回りに開閉されることを意味する。
【００３１】
前扉３２と上扉３６は閉鎖状態で係止されており、道路利用者が道路１５側から操作する場合には、前開きハンドル３４を開操作すると、上扉３６に対する前扉３２の係止が解除され、前扉３２は自重により固定扉３４の裏側に落下して消火栓収納箱３０の前面上部を開口させ、また、上扉３６を前開きすることで、消火栓収納箱３０の上面を開口させる。
【００３２】
また、道路利用者が監視員通路１４側から操作する場合には、後開きハンドル３８を開操作すると、筐体３１に対する上扉３６の係止が解除され、上扉３６を後開きすることで、消火栓収納箱３０の上面を開口させる。
【００３３】
消火栓収納箱３０の前面左上部には通報装置パネル４２が設けられる。通報装置パネル４２には、赤色表示灯４４、発信機４５、電話ジャック４６及び応答ランプ４８が設けられている。赤色表示灯４４は常時点灯し、消火栓設備の設置場所が遠方から分かるようにしている。火災時には、発信機４５を押して押し釦スイッチをオンすると、発信信号が監視センターの防災受信盤に送信されて火災警報が出され、これに伴い応答信号が火災受信機から送られて、応答ランプ４８が点灯され、更に、赤色表示灯４４が点滅される。
【００３４】
［消火栓収納箱の内部構造］
図３は消火栓収納箱の内部構造を正面から示した説明図、図４は消火栓収納箱の内部構造を平面から示した説明図である。
【００３５】
図３及び図４に示すように、消火栓収納箱３０における筐体３１の内部下側はホース収納部５０となっており、保形構造のホース６０を水平回りに内巻きしている。
【００３６】
ここで、消火栓収納箱３０の横幅は約１．４メートル程度、奥行きは約０．３５メートル程度であることから、ホース収納部５０に内巻きされたホース６０の１ターンの長さは概ね３．５メートル程度となり、ホース長さは３０メートル以上必要とすることから、ホース６０は９ターン以上内巻きすればよい。
【００３７】
消火栓収納箱３０の中央にはホースガイド５２が配置されている。ホースガイド５２は金属パイプを使用しており、上面から前面にＬ型の屈曲した２本のガイドパイプ５６を、図２に示した前扉３２と上扉３６の開口の内側に配置し、前面の略中央で横向きにガイドパイプ５４を配置して両端をガイドパイプ５６に固定しており、前扉３２及び上扉３６の開放状態で、上部前面及びこれに続く上部開口をガイドパイプ５４，５６で仕切ることで、ホース取出口が形成されている。なお、図３には、前扉３２の配置位置と、上扉３６を前開きした状態を想像線で示している。
【００３８】
また、ガイドパイプ５６は、その上部を閉鎖している上扉３６の下面に位置させ、上扉３６を閉鎖状態でガイドパイプ５６の上に載置して支える上扉支持構造としている。ここで、上扉３６は監視員通路１４に沿って例えば１メートルを超える長さを持つが、扉開口の２か所にガイドパイプ５６が前後方向に位置して上扉３６を支えており、閉鎖している上扉３６に人が乗ったとしても、ガイドパイプ５６により支えていることで、十分な支持強度が得られている。
【００３９】
上扉３６の裏面にはノズルホルダー６４が配置され、ノズルホルダー６４にホース６０の先端に設けられた泡ノズル６２が着脱自在に係止されている。このため上扉３６を前開き又は後開きすると、扉裏面に保持されている泡ノズル６２が消火栓収納箱３０の上部に現れることになる。
【００４０】
上扉３６の前開きで扉裏面に保持されている泡ノズル６２が現れる位置は、路面１５から概ね０．９〜１．３メートルの範囲のいずれかとなり、これは路面１５に立った道路利用者の腰から肩までの範囲に相当し、目の前に泡ノズル６２が出現することから、泡ノズル６２の取出しが容易にできる。
【００４１】
また、上扉３６の後開きで扉裏面に保持されている泡ノズル６２が現れる位置は、監視員通路１４の路面から概ね０．２〜０．４メートルの範囲のいずれかとなり、監視員通路１４に体をかがめて後開きハンドル３８を操作している道路利用者の目の前に泡ノズル６２が出現し、道路利用者は監視員通路１４側からノズル６２を容易に取り出すことができる。
【００４２】
筐体３１の上面開口３７の右側内部には操作箱６６が配置され、操作箱６６には消火栓弁開閉レバー６８が設けられ、操作箱６６の内部に設けられている手動パイロット弁を開閉操作させるようにしている。消火栓弁開閉レバー６８を開操作すると、手動パイロット弁が開放され、図１に示した放水制御機構収納部９０に分離配置された消火栓弁を遠隔的に開放させることができる。
【００４３】
ホース収納部５０に内巻きされたホース６０は、ガイドパイプ５６の部分で内側にわずかに湾曲した状態で巻かれている。
【００４４】
［ホース取出口のホースガイド］
（湾曲ガイドプレートによるホース取出口のガイド構造）
図３及び図４に示すように、消火栓収納箱３０における前面開口３５のガイドパイプ５６で仕切られたホース取出口の左右縁部の各々には、湾曲ガイドプレート７０がガイドパイプ５６の垂直部分を固定軸とした回転支持機構７２により水平回りに回転自在に配置されており、湾曲ガイドプレート７０の先端側にはガイドパイプ７４が配置されている。
【００４５】
図５は消火栓収納箱に設けられた湾曲ガイドプレートを取り出して示した説明図であり、図５（Ａ）は斜視を示し、図５（Ｂ）は平面を示す。
【００４６】
図５（Ａ）に示すように、湾曲ガイドプレート７０は、例えば金属板を円筒面の一部となる筒状に屈曲させた部材であり、湾曲端の一方となる軸方向に円筒状の回転軸７２ａが固定され、この回転軸７２ａが図３及び図４に示すガイドパイプ５６側の固定軸に回転自在に嵌め込まれている。
【００４７】
湾曲ガイドプレート７０の湾曲端の他方にはガイドパイプ７４が固定され、湾曲端のエッジに対するホースの摺接による損耗を防止可能としている。
【００４８】
湾曲ガイドプレート７０は、図５（Ｂ）に示すように、所定のホース最小曲げ半径又はそれより大きい所定の半径ｒの円７５の一部の円弧に沿った湾曲面を形成している。
【００４９】
このため湾曲ガイドプレート７０にホースを巻き回して同じ方向に折り返した場合、ホースは所定のホース最小曲げ半径以下にまげられることがなく、これによりホースを折り返すような引き出しに対しても、ホースをキンクさせることがない。
【００５０】
再び図３及び図４を参照するに、消火栓収納箱３０における上面開口３７のガイドパイプ５６で仕切られたホース取出口の左右縁部の各々にも、湾曲ガイドプレート８０がガイドパイプ５６の水平部分を固定軸とした回転支持機構８２により垂直回りに回転自在に配置されており、湾曲ガイドプレート８０の先端側にはガイドパイプ８４が配置されている。この湾曲ガイドプレート８０も図５に示した湾曲ガイドプレート７０の場合と同じになる。
【００５１】
（前面開口からのホース引き出し）
図６は前面開口からホースを横方向に引き出す場合の湾曲ガイドプレートによるガイド機能を消火栓収納箱の平面から示した説明図であり、図３に示したホースガイド５６は省略している。
【００５２】
図６（Ａ）に示すように、図３に示した前扉３６をスライド落下させて開くと共に、上扉３６を開いた状態で、ノズル付きのホース６０を、筐体３１内におけるホース巻出し方向と同じ方向となる右方向に前面開口３５から引き出した場合には、ホース６０の引き出しに伴い、前面開口３５の右側に設けられた湾曲ガイドプレート７０がホース６０の接触を受けて外側に回転し、外側に回転した湾曲ガイドプレート７０に沿ってホース６０が引き出される。この場合、ホース６０の曲がりはほとんどないことから、キンクの問題はない。
【００５３】
図６（Ｂ）に示すように、ノズル付きのホース６０を、筐体３１内におけるホース巻出し方向に対し逆方向となる１８０°異なる左方向に前面開口３５から引き出した場合には、ホース６０の引き出しに伴い、前面開口３５の左側に設けられた湾曲ガイドプレート７０がホース６０の接触を受けて外側に回転し、外側に回転した湾曲ガイドプレート７０に沿ってホース６０が引き出される。
【００５４】
この場合、ホース６０は略１８０°近く曲がることになるが、湾曲ガイドプレート７０の湾曲面に沿ってまがるため、所定のホース最小曲げ半径以下の曲がりとなることはなく、キンクの問題は発生しない。なお、湾曲ガイドプレート７０は、ホース６０を巻き戻す際には、回転軸に設けられたばね等により、初期位置に戻される。
【００５５】
（上面開口からのホース引き出し）
図７は上面開口からホースを横方向に引き出す場合の湾曲ガイドプレートによるガイド機能を消火栓収納箱の正面から示した説明図であり、図３に示した前扉３６及びホースガイド５６は省略して内部を示している。
【００５６】
図７（Ａ）に示すように、想像線で示す上扉３６を後開きした状態で、ノズル付きのホース６０を、筐体３１内におけるホース巻出し方向と同じ方向となる右方向に上面開口３７から引き出した場合には、ホース６０の引き出しに伴い、上面開口３７の右側に設けられた湾曲ガイドプレート８０がホース６０の接触を受けて外側に回転し、外側に回転した湾曲ガイドプレート８０に沿ってホース６０が引き出される。
【００５７】
この場合、ホース６０の曲がりはほとんどないことから、キンクの問題はない。なお、湾曲ガイドプレート８０も、ホース６０を巻き戻す際には、回転軸に設けられたばね等により、初期位置に戻される。
【００５８】
図７（Ｂ）に示すように、ノズル付きのホース６０を、筐体３１内におけるホース巻出し方向と逆方向となる１８０°異なる左方向に上面開口３７から引き出した場合には、ホース６０の引き出しに伴い、上面開口３７の左側に設けられた湾曲ガイドプレート８０がホース６０の接触を受けて外側に回転し、外側に回転した湾曲ガイドプレート８０に沿ってホース６０が引き出される。この場合、ホース６０は略１８０°近く曲がることになるが、湾曲ガイドプレート８０の湾曲面に沿って曲がるため、所定のホース最小曲げ半径以下の曲がりとなることはなく、キンクの問題は発生しない。
【００５９】
［ホース取出口のホースガイドの他の実施形態］
図８は前面開口及び上面開口に２本のガイドパイプによるホースガイドを設けた消火栓収納箱を示した説明図であり、図８（Ａ）に正面を示し、図８（Ｂ）に平面を示す。
【００６０】
図８（Ｂ）に示すように、消火栓収納箱３０における前面開口３５のガイドパイプ５６で仕切られた前面のホース取出口の左右縁部の各々には、第１ガイドパイプ７６と第２ガイドパイプ７８が起立され、本実施形態では、第２ガイドパイプ７８はガイドパイプ５６の垂直部分としている。
【００６１】
図９は図８における２本のガイドパイプの配置を取り出して平面で示した説明図である。図９に示すように、第１ガイドパイプ７６と第２ガイドパイプ７８は、所定のホース最小曲げ半径又はそれより大きい所定の半径ｒの円７５に内接する位置に所定間隔を離して配置されている。なお、図９の半径ｒの円７５に内接して配置されるガイドパイプの数は、複数本でよく、少なくとも２本配置すればよい。
【００６２】
このため図８（Ｂ）に示すように、筐体３１内に収納されたホース方向に沿った右方向に前面開口３５からホース６０を取り出し、第１ガイドパイプ７６と第２ガイドパイプ７８にホースを巻き回して１８０°異なる左方向に折り返して引き出した場合、第１ガイドパイプ７６と第２ガイドパイプ７８に摺接することで、ホース６０は所定のホース最小曲げ半径以下に曲げられることがなく、これによりホース６０を折り返すような引き出しに対しても、ホース６０をキンクさせることがない。
【００６３】
また、図８（Ａ）に示すように、消火栓収納箱３０における上面開口３７のガイドパイプ５６で仕切られた前面のホース取出口の左右縁部の各々には、第１ガイドパイプ８６と第２ガイドパイプ８８が水平に配置され、本実施形態では、第２ガイドパイプ８８はガイドパイプ５６の水平部分としている。
【００６４】
また、第１ガイドパイプ８６と第２ガイドパイプ８８の配置は、図９に示した第１ガイドパイプ７６と第２ガイドパイプ７８の配置と同じになり、垂直方向に配置されている点が異なる。
【００６５】
このため図８（Ａ）に示すように、筐体３１内に収納されたホース方向に沿った右方向にホース６０を上面開口３７から取り出し、第１ガイドパイプ８６と第２ガイドパイプ８８にホースを巻き回して１８０°異なる左方向に折り返して引き出した場合、第１ガイドパイプ８６と第２ガイドパイプ８８に摺接することで、ホース６０は所定のホース最小曲げ半径以下に曲げられることがなく、これによりホース６０を折り返すような引き出しに対しても、ホース６０をキンクさせることがない。
【００６６】
［本発明の変形例］
（湾曲ガイドプレートの配置）
上記の実施形態は、前面開口及び上面開口の内側にガイドパイプ５４，５６を配置してホース取出口を形成し、このホース取出口に湾曲ホースガイド７０，８０を配置しているが、前面開口及び上面開口とそれぞれのホース取出口が一致するようにした構造であっても良い。
【００６７】
（扉開閉機構）
上記の実施形態は、上扉を前開き及び後開きする扉開閉構造としているが、前扉を前開きする扉構造であっても良い。
【００６８】
（消火栓設備）
上記の実施形態は、消火泡を放出させる泡消火栓設備を例にとっているが、これに限定されず、消火用水を放水させる消火栓設備としても良い。
【００６９】
（その他）
また本発明は、その目的と利点を損なうことのない適宜の変形を含み、更に、上記の実施形態に示した数値による限定は受けない。
【符号の説明】
【００７０】
１０：トンネル
１２：トンネル壁面
１４：監視員通路
１５：道路
１６：消火栓設備
１８：床版
２０：管理用通路
２２：ダクト
２４：給水本管
２４ａ：分岐配管
２５：給水配管
３０：消火栓収納箱
３１：筐体
３２：前扉
３３：固定扉
３４：前開きハンドル
３５：前面開口
３６：上扉
３７：上面開口
３８：後開きハンドル
４２：通報装置パネル
５２：ホースガイド
５４，５６：ガイドパイプ
６０：ホース
６２：泡ノズル
６４：ノズルホルダー
６６：操作箱
６８：消火栓弁開閉レバー
７０，８０：湾曲ガイドプレート
７２，８２：回転支持機構
７２ａ：回転軸
７４，８４：ガイドパイプ
７６，８６：第１ガイドパイプ
７８，８８：第２ガイドパイプ
【図１】
2018033643.tif 000003
【図２】
2018033643.tif 000004
【図３】
2018033643.tif 000005
【図４】
2018033643.tif 000006
【図５】
2018033643.tif 000007
【図６】
2018033643.tif 000008
【図７】
2018033643.tif 000009
【図８】
2018033643.tif 000010
【図９】
2018033643.tif 000011